(57)【要約】【課題】複数の観察者が異なる観察条件で画像を観察した場合でも観察視野の違いによる色の認識のずれが生じることを抑制する。【解決手段】表示装置へ出力する画像データを処理する画像処理装置であって、画像データに対応する画像において観察者が観察する観察領域の情報を取得する第１の取得手段と、前記画像データに対応する画像が表示された前記表示装置の画面において前記観察者が前記観察領域を観察するときの観察視野を算出する算出手段と、前記観察視野に基づき前記画像データを補正する補正手段と、を有する画像処理装置。【選択図】図１
2016133842.tif 000002
【特許請求の範囲】
【請求項１】
表示装置へ出力する画像データを処理する画像処理装置であって、
画像データに対応する画像において観察者が観察する観察領域の情報を取得する第１の取得手段と、
前記画像データに対応する画像が表示された前記表示装置の画面において前記観察者が前記観察領域を観察するときの観察視野を算出する算出手段と、
前記観察視野に基づき前記画像データを補正する補正手段と、
を有する画像処理装置。
【請求項２】
前記補正手段は、前記表示装置に表示される画像を前記観察視野で観察したときに観察者に知覚される色が目標の色となるように画像データを補正するための補正データを取得し、前記補正データに基づき前記画像データの補正を行う請求項１に記載の画像処理装置。
【請求項３】
複数の視野について前記補正データを記憶する記憶手段を更に有し、
前記補正手段は、前記観察視野に対応する補正データを前記記憶手段から取得する請求項２に記載の画像処理装置。
【請求項４】
前記表示装置は、前記複数の視野の各視野に対応する等色関数に基づきキャリブレーションされており、
前記記憶手段は、前記複数の視野の各視野に対応する前記キャリブレーションの結果を前記補正データとして記憶しており、
前記補正手段は、前記観察視野に対応するキャリブレーションデータに基づき前記画像データの補正を行う請求項３に記載の画像処理装置。
【請求項５】
前記表示装置は、所定の視野に対応する等色関数に基づきキャリブレーションされており、
前記記憶手段は、前記補正データとして前記複数の視野の各視野に対応する等色関数を記憶しており、
前記補正手段は、前記観察視野に対応する等色関数と、前記所定の視野に対応する等色関数と、前記所定の視野に対応する前記キャリブレーションの結果とに基づき、前記画像データの補正を行う請求項３に記載の画像処理装置。
【請求項６】
前記第１の取得手段は、前記観察領域の大きさの情報を取得し、
前記表示装置と観察者との間の観察距離を取得する第２の取得手段を更に有し、
前記算出手段は、前記観察領域の大きさと前記観察距離とに基づき前記観察視野を算出する請求項１〜５のいずれか１項に記載の画像処理装置。
【請求項７】
前記第２の取得手段は、前記表示装置と観察者との距離を検出するセンサから前記観察距離を取得する請求項６に記載の画像処理装置。
【請求項８】
観察者から観察距離の情報の入力を受け付ける第１の入力手段を更に有し、
前記第２の取得手段は、前記観察者により入力された観察距離を取得する請求項６に記載の画像処理装置。
【請求項９】
観察者から観察領域の情報の入力を受け付ける第２の入力手段を更に有し、
前記第１の取得手段は、前記観察者により入力された観察領域の情報を取得する請求項１〜８のいずれか１項に記載の画像処理装置。
【請求項１０】
前記第２の入力手段は、前記画像データに対応する画像のうちに観察領域を設定する観察者による指示の入力を受け付け、
前記第１の取得手段は、前記観察者により設定された観察領域の情報を取得する請求項９に記載の画像処理装置。
【請求項１１】
前記第２の入力手段は、前記観察者により観察領域を設定する指示が入力された場合、設定された観察領域の情報を前記画像データ又は前記画像データに関連付けられたデータに書き込む請求項１０に記載の画像処理装置。
【請求項１２】
前記第２の入力手段は、前記画像データに設定された１又は複数の観察領域のうちいずれかの観察領域を選択する観察者による指示の入力を受け付け、
前記第１の取得手段は、前記観察者により選択された観察領域の情報を取得する請求項９に記載の画像処理装置。
【請求項１３】
前記算出手段は、前記第１の取得手段により観察領域の情報が取得されなかった場合、前記画像データに対応する画像の全体を観察領域として観察視野を算出する請求項１〜１２のいずれか１項に記載の画像処理装置。
【請求項１４】
請求項１〜１３のいずれか１項に記載の画像処理装置と、
前記画像処理装置により補正された画像データに基づく画像を表示する表示手段と、
を備える表示装置。
【請求項１５】
表示装置へ出力する画像データを処理する画像処理装置の制御方法であって、
画像データに対応する画像において観察者が観察する観察領域の情報を取得する第１の取得工程と、
前記画像データに対応する画像が表示された前記表示装置の画面において前記観察者が前記観察領域を観察するときの観察視野を算出する算出工程と、
前記観察視野に基づき前記画像データを補正する補正工程と、
を有する画像処理装置の制御方法。
【発明の詳細な説明】
【技術分野】
【０００１】
本発明は、画像処理装置及びその制御方法に関する。
【背景技術】
【０００２】
雑誌やポスター等の印刷物の制作は、コンピュータで動作するアプリケーションを使用してディスプレイを見ながら行われる。制作者は、ディスプレイを見ながら画像や文字等の素材の編集やレイアウトを行い、編集結果は画像データとして出力される。編集結果に対し、プルーフと呼ばれる異なる複数の人による確認作業が行われる。従来、プルーフ作業は、コンピュータで作成したデータをＤＤＣＰ（Direct Digital Color Proofer）等の確認用プリンタで印刷し、印刷物を確認者が観察することにより行っていた。近年、ディスプレイにプルーフ対象の画像（プルーフ画像）を表示させ、ディスプレイの表示画像を確認者が観察することによりプルーフを行う方法が用いられるようになっている。ディスプレイを用いたプルーフは従来の印刷物を用いたプルーフと異なり、画像データの修正や画像データのやりとりが容易であるため、プルーフ作業の時間短縮が可能である。
【０００３】
人の色の感じ方は、観察対象の見えの大きさ（観察視野）によって異なる。国際照明学会（CIE:Commission Internationale de l’Eclairage）は、２度視野と１０度視野の２
種の異なる等色関数を規定している。等色関数は目の分光感度特性である。観察視野によって異なる等色関数を用いて知覚色（ＸＹＺ値）を算出することができる。色が同じで大きさが異なる２つの色票を用意し、観察者がこの２つの色票を見た場合、また、同じ色票を異なる距離から観察した場合、色が異なるように感じられる。この現象は「色の面積効果」と呼ばれている。これは目の分光視感度特性が観察視野によって変化することによると考えられている。このような事実に鑑み、ディスプレイの画面サイズと、観察者とディスプレイとの距離とから、観察視野を算出し、観察視野に応じた等色関数を用いて色補正を行う画像処理装置が提案されている（特許文献１を参照）。
【先行技術文献】
【特許文献】
【０００４】
【特許文献１】特開２００７−３２２８５０号公報
【発明の概要】
【発明が解決しようとする課題】
【０００５】
プルーフ画像の観察方法は観察者によって異なる。例えば、複数の画像がレイアウトされたプルーフ画像をディスプレイに表示して観察する場合、観察者によって、プルーフ画像全体を俯瞰する広い視野で観察したり、一部の画像に注目して狭い視野で観察したりすることが考えられる。プルーフ時の観察条件が明確に定義されていない場合、複数の観察者間で観察視野が異なり、観察者間で色の認識に違いが生じる可能性がある。そうすると、プルーフ作業を正確に行えない。
【０００６】
本発明は、複数の観察者が異なる観察条件で画像を観察した場合でも観察視野の違いによる色の認識のずれが生じることを抑制することを目的とする。
【課題を解決するための手段】
【０００７】
本発明は、表示装置へ出力する画像データを処理する画像処理装置であって、
画像データに対応する画像において観察者が観察する観察領域の情報を取得する第１の取得手段と、
前記画像データに対応する画像が表示された前記表示装置の画面において前記観察者が
前記観察領域を観察するときの観察視野を算出する算出手段と、
前記観察視野に基づき前記画像データを補正する補正手段と、
を有する画像処理装置である。
【０００８】
本発明は、表示装置へ出力する画像データを処理する画像処理装置の制御方法であって、
画像データに対応する画像において観察者が観察する観察領域の情報を取得する第１の取得工程と、
前記画像データに対応する画像が表示された前記表示装置の画面において前記観察者が前記観察領域を観察するときの観察視野を算出する算出工程と、
前記観察視野に基づき前記画像データを補正する補正工程と、
を有する画像処理装置の制御方法である。
【発明の効果】
【０００９】
本発明によれば、複数の観察者が異なる観察条件で画像を観察した場合でも観察視野の違いによる色の認識のずれが生じることを抑制することが可能となる。
【図面の簡単な説明】
【００１０】
【図１】実施例１の画像処理装置及び表示装置の構成を示すブロック図
【図２】実施例１のプルーフ画像データの構成を説明する図
【図３】実施例１のプルーフ領域情報を説明する図
【図４】実施例１の等色関数の説明をする図
【図５】実施例１のキャリブレーションデータの説明をする図
【図６】実施例１のプルーフ領域設定と保存を説明する図
【図７】実施例１のプルーフ領域表示と選択を説明する図
【図８】実施例１のプルーフ画像表示時の動作の流れ図
【図９】実施例１のプルーフ領域設定時の動作の流れ図
【図１０】実施例１のプルーフ領域選択時の動作の流れ図
【図１１】実施例２の画像処理装置の構成を示すブロック図
【図１２】実施例２の観察視野による色補正の説明の図
【図１３】実施例２のプルーフ領域設定時の動作の流れ図
【発明を実施するための形態】
【００１１】
以下、本発明の表示装置及びその制御方法の実施例について説明する。本発明は、複数の観察者が異なる表示環境で同じ画像を観察する場合の観察視野の違いに起因する知覚色にずれを抑制することを可能にする技術である。ここで観察視野とは、観察者の視点から見た観察対象の大きさであり、観察対象のサイズと観察者から観察対象までの距離（観察距離）により決まる。
【００１２】
（実施例１）
実施例１では、観察者が、プルーフ画像をプルーフするとき、観察視野によらず同じ色を認識してプルーフ処理ができるよう、色補正を実施する方法について説明する。
図１は、実施例１に係る画像処理装置と表示装置の構成を示す図である。
画像処理装置１１は、表示装置１２へ出力する画像データを処理する。画像処理装置１１は、各種の画像や文字をレイアウトして作成されたプルーフ画像を表示装置１２へ出力し、プルーフのための処理を行う装置である。
保存部１１０１は、作成されたプルーフ画像データを保存する。プルーフ画像データは、画像データと付加データからなる。付加データには、後述するプルーフ領域設定部１１１２で設定されたプルーフ領域情報が含まれる。
【００１３】
図２は、プルーフ画像データの構成を説明する図である。実施例１では、プルーフ画像データは、ヘッダ部と画像データ部から構成される。ヘッダ部には、画像フォーマット情報、その他のヘッダ情報、画像全体のサイズを示す全体サイズ情報、プルーフ時の観察領域（プルーフ領域）を指定するプルーフ領域情報を含む。
【００１４】
図３に実施例１のプルーフ画像の全体と、プルーフ画像中に設定されたプルーフ領域（破線で示す）の例を示す。図３は、プルーフ画像の全体及びプルーフ領域はともに矩形であり、画像全体のサイズ［Ｘ０，Ｙ０］、位置（Ｘａ，Ｙｂ）にサイズ［ａ，ｂ］のプルーフ領域が設定されていることを示している。ここで、横Ｘ、縦Ｙの矩形のサイズを［Ｘ，Ｙ］で表す。また全体画像の最も左上の点を原点として横ｘ、縦ｙの位置を座標（ｘ，ｙ）で表す。サイズを表す値Ｘ０、Ｙ０は、プルーフ画像が印刷されることを考慮して用紙の実サイズを示す値としても良いし、正規化した値としてもよいし、ピクセル数としてもよい。
【００１５】
全体サイズ情報は、画像データを作成し保存した時点で、自動的に設定される。
プルーフ領域情報は、観察者がプルーフ時に指定するプルーフ領域の情報である。１つのプルーフ画像内に複数のプルーフ領域を設定可能である。プルーフ領域情報は、後述のプルーフ領域設定部１１１２によりプルーフ画像データのヘッダ部に保存される。プルーフ画像データは、画像出力制御部１１５１へ出力される。全体サイズ情報及びプルーフ領域情報は、プルーフ領域検知部１１１３へ出力される。
【００１６】
操作部１１１１は、観察者がプルーフ画像内にプルーフ領域を設定する指示やプルーフ画像内に設定されたプルーフ領域を選択する指示を画像処理装置１１に入力するための操作を行うことができる。操作部１１１１は、例えばマウス、キーボード、タッチパネル等である。操作部１１１１は、観察者がこれら以外の指示を画像処理装置１１に入力するための操作を行うこともできるように構成される。図示しないが、表示装置１２にも同様の操作部が備わっていても良い。また、画像処理装置１１の操作部１１１１により表示装置１２に指示を入力するための操作を行うことができるように構成されても良い。
【００１７】
プルーフ領域設定部１１１２は、プルーフ画像内にプルーフ領域を設定する処理を行う。プルーフ画像内のプルーフ領域の設定は、操作部１１１１から入力されるプルーフ領域設定指示に基づき行われる。ここで、プルーフ領域設定部１１１２は、画像データに対応する画像において観察者が観察する観察領域の情報を取得する第１の取得手段である。この第１の取得手段は、観察者により入力された観察領域の情報を取得する。操作部１１１１は、観察者から観察領域の情報の入力を受け付ける第２の入力手段である。この第２の入力手段は、画像データに対応する画像のうちに観察領域を設定する観察者による指示の入力を受け付ける。プルーフ領域設定部１１１２は、観察者により設定されたプルーフ領域情報を画像出力制御部１１５１へ出力する。プルーフ領域設定部１１１２は、観察者により設定されたプルーフ領域情報を保存部１１０１に保存されたプルーフ画像データに書き込む。プルーフ領域設定部１１１２は、プルーフ領域情報をプルーフ画像データに関連付けられた別のデータに書き込んでも良い。
【００１８】
観察者が、操作部１１１１により、画像処理装置１１の動作モードの１つであるプルーフ領域設定モードを起動する指示を入力すると、プルーフ領域設定部１１１２による処理が開始する。プルーフ領域設定モードでは、観察者は、プルーフ画像を見ながら、操作部１１１１を操作して、プルーフ画像内に観察対象領域であるプルーフ領域を設定することができる。
【００１９】
図６は、プルーフ領域設定モードにおける画面表示例を示す。図６において、画面下部にあるプルーフモードボタンを押下すると、プルーフ領域設定モードが起動し、プルーフ
領域設定のためのＧＵＩ（Graphical User Interface）（設定ＧＵＩ）が表示される。観察者は、操作部１１１１のマウス等を操作して、プルーフ領域として設定したい領域を矩形枠で囲う。図６において、プルーフ画像に重ねて表示されている破線で示す矩形が、プルーフ領域として設定される領域を示す。設定ＧＵＩの決定ボタンを押下すると、プルーフ領域設定部１１１２は、画像出力制御部１１５１へ、プルーフ領域情報を出力する。このプルーフ領域情報に基づき、後述する観察視野に応じた色補正が行われる。設定ＧＵＩのプルーフボタンを押下すると、設定したプルーフ領域情報がプルーフ画像データに保存される。
【００２０】
プルーフ領域検知部１１１３は、プルーフ画像データのヘッダ部に全体サイズ情報があることを検知すると、全体サイズ情報を取得してプルーフ領域選択部１１１４へ出力する。また、プルーフ領域検知部１１１３は、プルーフ画像データのヘッダ部にプルーフ領域情報があることを検知すると、プルーフ領域情報を取得し、プルーフ領域選択部１１１４へ出力する。
【００２１】
プルーフ領域選択部１１１４は、プルーフ領域検知部１１１３から全体サイズ情報が入力されると、プルーフ領域設定モードとプルーフ領域選択モードが起動できるようなＧＵＩを画像出力制御部１１５１へ出力し、ＧＵＩを表示させる。このＧＵＩは、プルーフ領域設定モードを起動させるボタン（プルーフモードボタン）と、プルーフ領域選択モードを起動させるボタン（プルーフ領域選択ボタン）を含んで構成される。プルーフ領域選択ボタンは、プルーフ領域検知部１１１３からプルーフ領域情報が入力された場合のみ押下可能となるよう構成される。
【００２２】
プルーフ領域選択ボタンが押下されてプルーフ領域選択モードが起動すると、プルーフ領域選択部１１１４は、プルーフ領域選択ＧＵＩを画像出力制御部１１５１へ出力する。プルーフ領域選択ＧＵＩにおいて、観察者が操作部１１１１を操作していずれかのプルーフ領域を選択すると、プルーフ領域選択部１１１４は、選択されたプルーフ領域情報を画像出力制御部１１５１へ出力する。ここでは、プルーフ領域選択部１１１４は、画像データに対応する画像において観察者が観察する観察領域の情報を取得する第１の取得手段である。この第１の取得手段は、観察者により入力された観察領域の情報を取得する。操作部１１１１は、観察者から観察領域の情報の入力を受け付ける第２の入力手段である。この第２の入力手段は、画像データに設定された１又は複数の観察領域のうちいずれかの観察領域を選択する観察者による指示の入力を受け付ける。第１の取得手段は、観察者により選択された観察領域の情報を取得する。
【００２３】
なお、プルーフ画像データのヘッダ部にプルーフ領域情報がない場合や、プルーフ領域が選択されていない場合、プルーフ領域選択部１１１４は、全体サイズ情報を画像出力制御部１１５１へ出力する。つまり、第１の取得手段により観察領域の情報が取得されなかった場合、画像データに対応する画像の全体を観察領域として観察視野が算出されることになる。
【００２４】
図７は、プルーフ領域選択モードにおける画面表示例を示す。図７の例では、プルーフ画像データのヘッダ部にプルーフ領域情報があり、画面左下にあるプルーフ領域選択ボタンが押下可能になっている（グレーアウトしていない）場合を示している。この画面でプルーフ領域選択ボタンを押下すると、プルーフ領域選択モードが起動し、プルーフ領域選択のためのＧＵＩ（選択ＧＵＩ）が表示される。観察者は、操作部１１１１を操作して、観察対象としたいプルーフ領域を選択する。図７は、領域１と領域２の２つのプルーフ領域が設定され、領域２が選択された場合を例示している。図７の例では、選択されたプルーフ領域は破線の枠で示されている。
【００２５】
画像出力制御部１１５１は、保存部１１０１からプルーフ画像データを取得し、画像処理装置１１で予め決定した出力解像度や縦横比等の表示制御情報に基づき、画像データを表示装置１２の表示に適した形式に展開する。展開した画像データに対し、画像出力制御部１１５１は、プルーフ領域設定部１１１２、プルーフ領域検知部１１１３、及びプルーフ領域選択部１１１４からのＧＵＩデータを合成し、表示装置１２の表示制御部１２０１へ出力する。また、画像出力制御部１１５１は、プルーフ領域設定部１１１２又はプルーフ領域選択部１１１４からのプルーフ領域情報と、展開した画像データの情報とに基づき、プルーフ領域情報を正規化する。ここで正規化とは、画面全体のサイズを１とした場合のプルーフ領域のサイズを算出することである。画像出力制御部１１５１は、正規化したプルーフ領域情報をプルーフ領域画面サイズ情報として、表示情報制御部１１５２へ出力する。また、画像出力制御部１１５１は、出力解像度、縦横比、フレーム周波数等の表示制御情報を表示情報制御部１１５２へ出力する。
【００２６】
表示情報制御部１１５２は、画像出力制御部１１５１から取得した表示制御情報を表示装置１２の表示制御部１２０１へ送信する。また、表示情報制御部１１５２は、表示装置１２の画面サイズ、画面解像度等の表示制御情報を表示装置１２から受信し、画像出力制御部１１５１へ出力する。
【００２７】
システム制御部１１９１は、画像処理装置１１の全体の動作を統括的に制御する。システム制御部１１９１は、画像処理装置１１における表示制御情報の設定を行う機能や、プルーフ画像の拡大や縮小、色の調整等の編集機能を含む。
【００２８】
表示装置１２は、画像処理装置１１からの画像データを表示する。表示装置１２は、カラーマネジメントモニタやマスターモニタのような、キャリブレーション機能を有し、表示色の調整が可能なディスプレイである。表示装置１２は、例えば液晶ディスプレイや有機ＥＬディスプレイである。
【００２９】
表示制御部１２０１は、プルーフ領域を観察者が観察するときの視野である観察視野に基づき画像データを補正する。表示制御部１２０１は、表示装置１２に表示される画像を観察視野で観察したときに観察者に知覚される色が目標の色となるように画像データを補正するための補正データを取得し、補正データに基づき画像データの補正を行う。表示制御部１２０１は、画像処理装置１１の画像出力制御部１１５１から画像データを入力し、補正制御部１２０６からの観察視野に対応する補正データであるキャリブレーションデータを取得し、このキャリブレーションデータに基づき色補正を行う。また、表示制御部１２０１は、キャリブレーション部１２１４からのキャリブレーション情報に基づき画像データを調整する。また、表示制御部１２０１は、画像処理装置１１の表示情報制御部１１５２からの表示制御情報に基づき、表示部１２０２へ表示データを出力する。また、表示制御部１２０１は、表示装置１２の画面サイズ、画面解像度、表示可能色数等の表示制御情報を保持している。画面サイズは例えばインチ等の単位で表される。画面解像度は画面を構成する画素数であり例えば縦横のピクセル数で表される。
表示部１２０２は、表示制御部１２０１からの表示データを入力し、表示データに基づく画像を表示する。
【００３０】
キャリブレーションデータ保存部１２０３は、複数の視野について画像データの補正に用いられる補正データを記憶する。ここでは、キャリブレーションデータ保存部１２０３には、補正データとして、視野毎のキャリブレーションデータが格納されている。ここでは、表示装置１２は、複数の視野の各視野に対応する等色関数に基づきキャリブレーションされているとする。そして、キャリブレーションデータ保存部１２０３は、複数の視野の各視野に対応するキャリブレーションの結果を補正データ（キャリブレーションデータ）として記憶している。表示制御部１２０１による画像データの補正は、観察視野に対応
するキャリブレーションデータに基づき行われる。
【００３１】
図５に視野毎のキャリブレーションデータを示す。キャリブレーションデータには、Ｒ、Ｇ、Ｂの各組み合わせの画像データの入力に対し、キャリブレーションを施した表示出力を得るための変換テーブルが視野毎に格納されている。視野毎のキャリブレーションデータは、工場出荷時、表示装置１２に測定対象の画像データを表示させて測定した分光特性と視野毎の等色関数を用いて算出され、キャリブレーションデータ保存部１２０３に格納される。
【００３２】
測距部１２０４は、表示装置１２と観察者との間の距離である観察距離を取得する第２の取得手段である。測距部１２０４は、表示装置１２の画面と観察者との間の観察距離を測定するセンサである。測距部１２０４は、例えば赤外線を使用した、表示装置と観察者との距離を検出するセンサである。測距部１２０４は、観察距離を視野算出部１２０５へ出力する。
【００３３】
視野算出部１２０５は、画像データに対応する画像が表示された表示装置１２の画面において観察者が観察領域（プルーフ領域）を観察するときの視野である観察視野を算出する。視野算出部１２０５は、画像処理装置１１の表示情報制御部１１５２からプルーフ領域画面サイズ情報を取得するとともに、表示制御部１２０１から表示装置１２の画面実サイズを取得する。視野算出部１２０５は、プルーフ領域画面サイズ情報と画面実サイズとからプルーフ領域の表示画面上での実表示サイズ（プルーフ領域実表示サイズ）と対角線サイズ（プルーフ領域実対角線サイズ）を算出する。視野算出部１２０５は、測距部１２０４から取得した観察距離とプルーフ領域実対角線サイズから、観察者がプルーフ領域を観察するときの視野（プルーフ領域観察視野）を算出し、補正制御部１２０６へ出力する。
【００３４】
補正制御部１２０６は、視野算出部１２０５から所得したプルーフ領域観察視野に対応するキャリブレーションデータをキャリブレーションデータ保存部１２０３から取得し、表示制御部１２０１へ出力する。
【００３５】
等色関数保存部１２１１は、視野毎の等色関数が保存されている。等色関数は、人間の目の３錐体の分光感度特性である。
図４は、等色関数保存部１２１１に保存されている、視野毎の等色関数Φ（θ）のデータの一例を示す。このデータは、視野θ毎に３６０ｎｍ〜８３０ｎｍの波長における目の３錐体それぞれの分光感度ｘ（λ）、ｙ（λ）、ｚ（λ）が格納されたテーブルである。図４では視野θが１度〜２０度、波長λが３６０ｎｍ〜８３０ｎｍの範囲の等色関数が等色関数保存部１２１１に保存されている例を示したが、これは一例であり、これより多い又は少ないデータでも良い。
【００３６】
分光データ保存部１２１２は、表示装置１２の分光特性データが保存されている。
分光特性データは、工場出荷時に測定され保存されるが、測色部１２１３やキャリブレーション部１２１４を用いて測定することも可能である。
【００３７】
測色部１２１３は、表示装置１２のキャリブレーションに使用する分光型測色器である。測色部１２１３は、表示装置１２の表示画面の色を測定し、分光特性データをキャリブレーション部１２１４へ出力する。
【００３８】
キャリブレーション部１２１４は、表示装置１２のキャリブレーションを行い、色、ガンマ等の各種パラメータを調整するための情報を表示制御部１２０１へ出力する。また、キャリブレーション部１２１４は、等色関数保存部１２１１から視野毎の等色関数を取得
し、分光データ保存部１２１２から表示装置１２の分光特性を取得する。そして、これらに基づき視野毎のキャリブレーションデータを算出し、キャリブレーションデータ保存部１２０３へ保存することもできる。
【００３９】
次に図８から図１０を用いて、実施例１の画像処理装置１１及び表示装置１２の動作を説明する。ここでは、プルーフ作業の流れに沿って、プルーフ画像の表示（図８）、第１の観察者によるプルーフ領域の設定（図９）、第２の観察者によるプルーフ領域の選択及び表示（図１０）の順に説明する。
【００４０】
図８は、プルーフ画像を表示するときに実行される初期表示の動作の流れを示す。実施例１では、まず、画像全体をプルーフ領域とした場合（プルーフ領域のサイズが画像全体のサイズと等しい場合）の視野に対応したキャリブレーションデータを用いて表示を行う。
まず、画像処理装置１１の保存部１１０１に保存されているプルーフ画像データが画像出力制御部１１５１経由で表示装置１２の表示制御部１２０１へ入力される。一方、プルーフ領域検知部１１１３は、プルーフ画像データのヘッダ部から、全体サイズ情報を取得し、全体サイズ情報をプルーフ領域選択部１１１４経由で画像出力制御部１１５１へ出力する（ｓｔ１１０１）。
【００４１】
画像出力制御部１１５１は、全体サイズ情報から、全体画面サイズ情報を生成し、表示情報制御部１１５２へ出力する（ｓｔ１１０２）。
表示情報制御部１１５２は、全体画面サイズ情報を出力解像度等の表示制御情報とともに表示装置１２へ送信する（ｓｔ１１０３）。
一方、表示装置１２の視野算出部１２０５は、全体画面サイズ情報と、表示制御部１２０１から取得した表示装置１２の画面サイズとに基づき、画像全体の表示画面上での実表示サイズ（全体画像実表示サイズ）を算出する（ｓｔ１１０４）。
【００４２】
視野算出部１２０５は、測距部１２０４から観察距離を取得する（ｓｔ１１０５）。
視野算出部１２０５は、全体画像実表示サイズと観察距離とから、観察者が画像全体を観察するときの視野（全体画像観察視野）を算出し、補正制御部１２０６へ出力する（ｓｔ１１０６）。
補正制御部１２０６は、全体画像観察視野に対応するキャリブレーションデータをキャリブレーションデータ保存部１２０３から取得する（ｓｔ１１０７）。
表示制御部１２０１は、このキャリブレーションデータを用いて画像データを補正し、全体画像観察視野に応じた色補正を行う（ｓｔ１１０８）。これにより、表示部１２０２においてプルーフ画像の全体を観察する場合の観察者の視野に応じた目の感度特性に基づき表示を行うことができる。
【００４３】
図９は、第１の観察者がプルーフ領域を設定し、プルーフするときの動作を示す流れ図である。
観察者によりプルーフ領域設定モードが起動されると、プルーフ領域設定部１１１２は、図６の表示画面左に示されるような設定ＧＵＩを画像出力制御部１１５１へ出力し、表示装置１２により設定ＧＵＩが観察者に提示される（ｓｔ１２０１）。
観察者が、操作部１１１１の操作により、図６の領域１（破線で示す）のようにプルーフ領域を設定し、設定ＧＵＩの決定ボタンを押下すると、プルーフ領域設定部１１１２は、設定されたプルーフ領域情報を、画像出力制御部１１５１へ出力する（ｓｔ１２０２）。
【００４４】
画像出力制御部１１５１は、プルーフ領域情報からプルーフ領域画面サイズ情報を生成し、表示情報制御部１１５２へ出力する（ｓｔ１２０３）。
表示情報制御部１１５２はプルーフ領域画面サイズ情報を表示装置１２へ送信する（ｓｔ１２０４）。
表示装置１２の視野算出部１２０５は、測距部１２０４から観察距離を取得する（ｓｔ１２０５）。
表示装置１２の視野算出部１２０５は、プルーフ領域画面サイズ情報と観察距離とから、観察者がプルーフ領域を観察するときの視野（プルーフ領域観察視野）を算出する（ｓｔ１２０６）。
補正制御部１２０６は、プルーフ領域観察視野に対応するキャリブレーションデータをキャリブレーションデータ保存部１２０３から取得する（ｓｔ１２０７）。
【００４５】
表示制御部１２０１は、このキャリブレーションデータを用いて画像データを補正し、プルーフ領域観察視野に応じた色補正を行う（ｓｔ１２０８）。これにより、表示部１２０２においてプルーフ画像中のプルーフ領域を特に注目して狭い視野で観察する場合の視野に応じた目の感度特性に基づき表示を行うことができる。
観察者は、この表示状態でプルーフ作業を行う。具体的には、プルーフ画像の内容を承認する場合（ｓｔ１２２１：Ｙｅｓ）、観察者は設定ＧＵＩのプルーフボタンを押下する（ｓｔ１２２２）。
プルーフ領域設定部１１１２は、設定されたプルーフ領域情報を保存部１１０１へ出力し、保存部１１０１は、プルーフ領域情報をプルーフ画像データのヘッダ部に保存し、プルーフが終了する（ｓｔ１２２３）。
プルーフ作業でプルーフ画像の内容を承認しない場合（ｓｔ１２２１：Ｎｏ）、観察者は必要に応じプルーフ画像を編集する（ｓｔ１２３１）。その後、ｓｔ１２２１に戻り上記のプルーフ作業を繰り返す。
観察者は、プルーフ領域が複数ある場合、以上の処理を繰り返す。
【００４６】
図１０は、第１の観察者によってプルーフ領域が設定されたプルーフ画像に対し、第２の観察者がプルーフ領域を選択し、選択したプルーフ領域の観察視野に応じた表示を行う動作の流れを示す図である。
プルーフ画像を表示するとき、プルーフ領域検知部１１１３は、プルーフ画像データにプルーフ領域情報があるか判定する（ｓｔ１３０１）。
プルーフ領域情報がある場合（ｓｔ１３０１：ｙｅｓ）、プルーフ領域選択部１１１４は、プルーフ領域がある旨を観察者に知らせるＧＵＩ（図７の左下のプルーフ領域選択ボタン）を画像出力制御部１１５１へ出力する（ｓｔ１３０２）。
【００４７】
観察者が、プルーフ領域選択ボタンを押下すると、プルーフ領域選択モードが起動する（ｓｔ１３０３）。
プルーフ領域選択モードが起動すると、プルーフ領域を選択するためのＧＵＩ（図７の画面左の領域選択ＧＵＩ）が表示される（ｓｔ１３０４）。
観察者は、マウス等の操作部１１１１の操作により、プルーフ領域を選択する（図７では、領域２が選択された様子を示している）（ｓｔ１３０５）。
プルーフ領域が選択されると、プルーフ領域選択部１１１４は、選択されたプルーフ領域情報を画像出力制御部１１５１へ出力する。
【００４８】
次のｓｔ１２００では、図９のｓｔ１２０３〜ｓｔ１２０８と同様の処理により、プルーフ領域観察視野に応じた色補正が行われ、表示部１２０２で表示される。
ｓｔ１３０１で、プルーフ画像データにプルーフ領域情報がない場合、プルーフ画像全体のサイズに対応した視野に応じた色補正が行われる。
実施例１によれば、第１の観察者と第２の観察者とでプルーフ時に注目する領域の大きさが異なる場合でも、領域の大きさに応じた視野に対応する色補正が行われてプルーフ画像が表示される。従って、複数の観察者間で観察視野の違いに起因する色の認識に違いが
生じることを抑制できる。
【００４９】
（実施例２）
実施例１では、観察視野に応じた色補正を表示装置で行った。すなわち、実施例１では、表示装置が種々の視野に応じたキャリブレーションデータを保持している。そして、表示装置は、画像処理装置から観察者が選択したプルーフ領域の情報を取得し、プルーフ領域のサイズに対応する視野を算出し、視野に応じたキャリブレーションデータを用いて色補正を行った。しかし、観察視野の算出及び観察視野に応じて色補正を行う機能は、表示装置に備わっている必要はない。次の実施例２では、観察視野に応じた色補正を画像処理装置で行う例を説明する。
また、実施例１では、複数の視野の各視野の等色関数と表示装置の分光特性とに基づき予めキャリブレーションが行われ、視野毎のキャリブレーションデータが保存されていた。そして、プルーフ領域に対応する観察視野に対応するキャリブレーションデータを用いて画像データの補正を行った。つまり実施例１の表示装置は視野に応じて画像補正に用いるキャリブレーションデータを切り替える機能を有していた。しかし、ある所定の視野でキャリブレーションされており、キャリブレーションデータを視野に応じて切り替える機能を有しない表示装置も考えられる。実施例２では、所定の視野でキャリブレーションして得られたキャリブレーションデータのみを固定的に画像補正に用いる表示装置において、観察視野に応じた色補正を可能にする方法を説明する。
【００５０】
図１１は、実施例２に係る画像処理装置と表示装置の構成を示す図ある。表示装置２２は、所定の視野（ここでは２度とする）に対応する等色関数に基づきキャリブレーションされているとする。つまり、２度視野で観察した場合に、観察者が知覚する色が目標の色になるようにキャリブレーションされているため、２度以外の視野で表示装置２２を観察した場合、観察者が知覚する色は目標の色にならない。
画像処理装置２１は、実施例１の画像処理装置１１に、観察視野に応じた色調整を行う機能、すなわち等色関数保存部２１０２、視野算出部２１０３、補正制御部２１０４、及び色補正部２１０５を追加した構成となっている。
【００５１】
操作部１１１１、プルーフ領域設定部１１１２、プルーフ領域検知部１１１３、及びプルーフ領域選択部１１１４の機能は実施例１と同様である。
保存部１１０１は、プルーフ画像データを色補正部２１０５へ出力すること以外、実施例１と同様の機能を有する。
画像出力制御部１１５１は、視野に応じて補正されたプルーフ画像データを色補正部２１０５から取得すること以外、実施例１と同様の機能を有する。
【００５２】
表示情報制御部１１５２は、画像出力制御部１１５１から取得した、プルーフ領域画面サイズ情報を、視野算出部２１０３へ出力する。また、表示情報制御部１１５２は、表示装置２２から、表示装置２２のキャリブレーション時の視野及び分光特性データを受信し、これを補正制御部２１０４へ出力する。これ以外は、実施例１と同様の機能を有する。
【００５３】
等色関数保存部２１０２は、観察視野に応じて画像データを補正するために用いる補正データとして複数の視野の各視野に対応する等色関数を記憶している。等色関数保存部２１０２は、実施例１の等色関数保存部１２１１と同様の機能を有し、補正制御部２１０４の要求に応じて、等色関数を出力する。
【００５４】
視野算出部２１０３は、表示情報制御部１１５２から取得したプルーフ領域画面サイズ情報と、表示装置２２の画面サイズとから、プルーフ領域の表示画面上での実サイズ（プルーフ領域実表示サイズ）を算出する。そして、視野算出部２１０３は、プルーフ領域実表示サイズと、観察者と表示装置２２との距離（観察距離）から、観察者がプルーフ領域
を観察するときの視野（プルーフ領域観察視野）を算出し、補正制御部２１０４へ出力する。
【００５５】
補正制御部２１０４は、観察視野に対応する等色関数と、所定の視野（２度）に対応する等色関数と、所定の視野に対応するキャリブレーションの結果とに基づき、画像データの補正を行う。補正制御部２１０４は、視野算出部２１０３から取得したプルーフ領域観察視野θに対応する等色関数を等色関数保存部２１０２から取得する。また、補正制御部２１０４は、表示情報制御部１１５２から取得した表示装置２２のキャリブレーション時の視野（ここでは２度）に対応する等色関数を等色関数保存部２１０２から取得する。補正制御部２１０４は、表示情報制御部１１５２から表示装置２２の分光特性データΩを取得する。補正制御部２１０４は、これらを用いて観察視野を補正する視野補正マトリクスを算出し、色補正部２１０５へ出力する。
【００５６】
画像データ（Ｒ、Ｇ、Ｂ）に対する、観察視野θでの色の見え方、すなわち３刺激値（Ｘ、Ｙ、Ｚ）は、等色関数Φ（θ）と表示装置２２の分光特性Ωとから生成される変換関数Ｍ（θ）によって求められる。視野が２度の場合とθの場合それぞれの３刺激値は、以下のようになる。
【数１】
2016133842.tif 000003
２度視野でキャリブレーションされた表示装置２２において、視野θで観察した場合と同じ色の見え方（３刺激値（Ｘ、Ｙ、Ｚ））となるためには、
【数２】
2016133842.tif 000004
となるような画像データ（Ｒ’Ｇ’Ｂ’）を求めればよく、そのために
【数３】
2016133842.tif 000005
となるように、補正マトリクスＭ−１（２）・Ｍ（θ）を算出する。
これは、図１２のように、Ｒ、Ｇ、Ｂで表示している色空間を、Ｒ’、Ｇ’、Ｂ’の色空間に変換していることを意味する。これは、同じ画像データでも、観察視野によって異なる色で認識されることを意味する。
【００５７】
色補正部２１０５は、補正制御部２１０４から出力される補正マトリクスを用いてプルーフ画像データ（Ｒ、Ｇ、Ｂ）を補正し、補正後のプルーフ画像データ（Ｒ’、Ｇ’、Ｂ’）を画像出力制御部１１５１へ出力する。これにより、２度視野で観察されることを前提に調整された表示装置２２に表示された画像を視野θで観察した場合でも、観察者は、その画像の色として本来知覚されるべき色でその画像を観察することができる。
なお、ここでは表示装置２２のγ特性が線形である場合を例に説明したが、γ特性が線形でない場合、すなわちγ≠１の場合、γ＝１となるように変換して補正処理を行い、色補正後に元のガンマ値に戻す処理を行えば良い。
【００５８】
表示装置２２は、実施例１の表示装置１２に対し、観察視野に応じた色補正に関する機能部を削除した構成となっている。
表示装置２２は、工場出荷時に２度視野固定のキャリブレーションがなされており、２度視野以外の観察視野においては、正確な色表現ができない。なお、表示装置２２をどの視野でキャリブレーションされたものとするかは任意である。
表示制御部１２０１、表示部１２０２、測距部１２０４、測色部１２１３、キャリブレーション部１２１４は、実施例１と同様の機能を有する。
【００５９】
表示制御部１２０１は、画像処理装置２１の画像出力制御部１１５１からプルーフ画像データを入力し、キャリブレーション部１２１４からのキャリブレーション情報に基づき画像データを調整する。また、表示制御部１２０１は、表示情報制御部１１５２からの表示制御情報に基づき、表示部１２０２へ表示データを出力する。
また、表示制御部１２０１は、表示装置２２の画面サイズ、画面解像度、表示可能色数、キャリブレーション時視野情報等の表示制御情報を保持しており、必要に応じ、画像処理装置２１の表示情報制御部１１５２へそれらの情報を送信する。
分光データ保存部１２１２は、画像処理装置２１の表示情報制御部１１５２からの要求により、表示装置２２の分光特性データを出力する。
【００６０】
図１３は実施例２の画像処理装置及び表示装置の動作の流れを説明するための図である。ここでは、主に実施例１と異なる処理について説明する。
プルーフ領域選択モードで観察者によりプルーフ領域が選択される（ｓｔ２００１）。
プルーフ画像データは、色補正部２１０５へ出力される。
プルーフ領域検知部１１１３は、プルーフ画像データからプルーフ領域情報を検出し、検出したプルーフ領域情報をプルーフ領域選択部１１１４経由で画像出力制御部１１５１へ出力する（ｓｔ２００１）。
画像出力制御部１１５１は、プルーフ領域画面サイズ情報を算出し、表示情報制御部１１５２経由で視野算出部２１０３へ出力する（ｓｔ２００４）。
【００６１】
視野算出部２１０３は、プルーフ領域画面サイズ情報と、表示情報制御部１１５２から取得した表示装置２２の画面サイズとから、プルーフ領域実表示サイズを算出する。視野算出部２１０３は、表示装置２２から観察距離を取得する（ｓｔ２００５）。視野算出部２１０３は、プルーフ領域表示実サイズと観察距離から観察者のプルーフ領域観察視野を算出し、補正制御部２１０４へ出力する（ｓｔ２００６）。
補正制御部２１０４は、視野算出部２１０３からのプルーフ領域観察視野に対応する等色関数と、表示情報制御部１１５２から取得した表示装置２２のキャリブレーション時視野に対応する等色関数とを、等色関数保存部２１０２から取得する（ｓｔ２００７）。
【００６２】
補正制御部２１０４は、表示装置２２の分光特性データを表示情報制御部１１５２から取得する（ｓｔ２００８）。
補正制御部２１０４は、分光特性データと、キャリブレーション時視野（ここでは２度）に対応する等色関数とプルーフ領域観察視野に対応する等色関数とから色補正マトリク
スを算出する（ｓｔ２００９）。
色補正部２１０５は、色補正マトリクスを用いて、入力されるプルーフ画像データを補正し出力する（ｓｔ２０１０）。
【００６３】
実施例２によれば、表示装置２２が特定の視野で観察されることを前提にキャリブレーションされている場合であっても、画像処理装置２１でプルーフ領域観察視野に応じた色補正をすることで、観察者は正確な色を認識することができる。従って、実施例１と同様に、第１の観察者と第２の観察者とでプルーフ時に注目する領域の大きさが異なる場合でも、領域の大きさに応じた視野に対応する色補正が行われてプルーフ画像が表示される。従って、複数の観察者間で観察視野の違いに起因する色の認識に違いが生じることを抑制できる。
【００６４】
（その他の実施例）
実施例１、実施例２では、画像データにプルーフ領域情報が含まれる場合を例に説明したが、プルーフ領域情報が画像データとは別に保存されていても良い。その場合、プルーフ領域検知部は、画像データと関連付けられた、画像データとは別のデータから、プルーフ領域情報を取得し、プルーフ領域選択部や画像出力制御部に出力する。また、プルーフ領域設定部は、観察者により設定されたプルーフ領域情報を、画像データに付加して保存するのではなく、画像データと関連付けられた画像データとは別のデータに保存するようにしても良い。
【００６５】
実施例１、実施例２では観察距離を測定する測距部が表示装置に備わる構成を例示したが、測距部は外付けであっても良い。また、実施例１、実施例２では、視野算出部が、測距部による測定により観察距離を取得する例を説明した。しかし、例えば観察者が観察距離の情報を表示装置や画像処理装置に入力することが可能な第１の入力手段を備え、入力された観察距離の情報を視野算出部が取得するようにしても良い。第１の入力手段は、例えば操作部１１１１と同様の構成を表示装置１２に備えることで実現できる。この場合、表示装置１２と観察者との間の距離である観察距離を取得する第２の取得手段は、第１の入力手段を用いて観察者により入力された観察距離を取得する。
【００６６】
実施例１、実施例２における観察視野対応の色補正制御は、プルーフ領域を含む全プルーフ画像に対して補正を行っても良いし、プルーフ領域のみの補正でもよい。
また、より高精度の色のプルーフを行う場合は、プルーフ領域の色が周囲の色の影響を受けにくくするよう、プルーフ領域以外をニュートラルグレー色にするようにするモードを設けても良い。
実施例１では、予め算出した種々の視野対応のキャリブレーションデータを保存しておき、これを読み出して色補正を行った。しかし、実施例２と同様に、プルーフ領域が入力されるたびに、プルーフ領域観察視野、分光データ、等色関数から画像データの補正を行っても良い。
【００６７】
実施例１、実施例２では測定された観察距離に応じて色補正が行われるが、観察距離は観察者の微妙な動きで変動するため、観察者の動きに応じて色補正が変動し、ちらつき等が生じる可能性がある。そこで、観察距離や認識色の変動に不感帯や不感応答時間を設定し、不感帯の範囲内の変動や不感応答時間内の変動に対し色補正を行わないようにしも良い。
【００６８】
実施例１、実施例２では、予め測定された表示装置の分光データを保存しておく例を説明したが、測色器により測定した分光データを保存して用いるようにしても良い。
実施例２での補正マトリクス算出においては、（Ｒ、Ｇ、Ｂ）がゼロのとき、（Ｘ、Ｙ、Ｚ）値はゼロとしたが、なんらかの初期値を持つ場合、その（Ｘ、Ｙ、Ｚ）値を補正演
算時に加味しても良い。
【００６９】
実施例１、実施例２では、等色関数保存部が、１度視野から２０度視野の間の各視野に応じた等色関数の情報を保存している例を説明したが、より少ない種類の等色関数を保存する構成でも良い。その場合、プルーフ領域情報に基づき算出されたプルーフ領域の観察視野に等しい視野の等色関数が等色関数保存部に保存されていないことがあり得る。その場合、等色関数保存部が保存している視野の等色関数に基づく補間計算により、観察視野に対応する等色関数を算出して用いるようにしても良い。
【００７０】
実施例１では、種々の視野に対応するキャリブレーションデータがキャリブレーションデータ保存部に保存されており、このうちプルーフ領域観察視野に対応するキャリブレーションデータを用いて画像データの補正を行う例を説明した。実施例１では等色関数保存部に保存されている種々の視野に対応する等色関数を用いていない。従って、実施例１の構成で等色関数保存部は必ずしも必要ない。一方、実施例２では、等色関数保存部に保存されている所定の視野（２度視野）に対応する等色関数とプルーフ領域観察視野に対応する等色関数とを用いて画像データの補正を行う例を説明した。実施例２では、キャリブレーションデータを用いた画像データの補正を行わないので、キャリブレーションデータ保存部は構成に含まれていない。しかし、実施例１においても、キャリブレーションデータを用いる代わりに、実施例２と同様に、等色関数保存部に保存された等色関数を用いて画像データの補正を行っても良い。また、実施例２においても、等色関数を用いる代わりに、実施例１と同様のキャリブレーションデータ保存部を有する構成とし、キャリブレーションデータを用いた補正を行っても良い。
【００７１】
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００７２】
１１：画像処理装置、１１１３：プルーフ領域検知部、１２０５：視野算出部、１２０６：補正制御部
【図１】
2016133842.tif 000006
【図２】
2016133842.tif 000007
【図３】
2016133842.tif 000008
【図４】
2016133842.tif 000009
【図５】
2016133842.tif 000010
【図６】
2016133842.tif 000011
【図７】
2016133842.tif 000012
【図８】
2016133842.tif 000013
【図９】
2016133842.tif 000014
【図１０】
2016133842.tif 000015
【図１１】
2016133842.tif 000016
【図１２】
2016133842.tif 000017
【図１３】
2016133842.tif 000018